(57)【特許請求の範囲】
【請求項１】
受け皿状貯留部６を設けた底板部２と、水平断面コ字形状で開放部が前記受け皿状貯留部６側になるようにして前記底板部２の前部から垂直に立ち上がる前板部３と、前記前板部３の上部に連設する、水平断面コ字形状でその内部空閧が前板部３の内部空間に連続し、先端に形成したカップ状の部分が底部を上にして前記底板部２の受け皿状貯留部６と略平行になるように折れ曲がる蓋部４とからなると共に、要介護者の肌に接触する開口部分の縁に、要介護者の肌に気密に接触させるためのクッション材５を被着してなり、更に前記底板部２の受け皿状貯留部６に排泄物検知センサ７を設け、前記前板部３に下部から順に汚物排出口８、肛門洗浄水吐出口９、陰部洗浄水吐出口１０を設けると共に、前記受け皿状貯留部６の前記前板部３と反対側の壁部における、前記汚物排出口８及び肛門洗浄水吐出口９と対向する位置に、肛門洗浄水吐出口１１と、後記リターンエアホース１９から送られる空気を要介護者の股間部を乾燥させる空気として吹き出すためのリターンエア吹き出し口１２を設けた排泄物受けカップ１と、前記排泄物受けカップ１と後記機器収納ボックス２４内に備えた各機器とを連結する、汚物吸引ホース１８、後記吸引循環管４１から送られる空気を前記排泄物受けカップ１に設けたリターンエア吹き出し口１２に送り出すためのリターンエアホース１９、洗浄水ホース２０とからなるホースと、機器収納ボックス２４内に備えた、前記排泄物受けカップ１の汚物排出口８から前記汚物吸引ホース１８を介して空気と共に洗浄水と排尿・排便からなる汚物を吸引し、後記セパレータ２９をもって汚物と空気を分離して汚物のみを収容する汚物タンク２５と、前記汚物タンク２５の頂部に、汚物を遠心分離により汚物タンク２５内に戻すセパレータ２９を設けた吸引循環管２８をもって接続し、該吸引循環管２８内の気圧を前記汚物タンク２５内の気圧よりも低い状態として汚物タンク２５内の気圧との圧力差により汚物タンク２５からの吸引力を発生させる一方、吐出口に、途中部にミスト除去、消臭、除菌用のエア浄化フィルタ４０を備えると共に、一端側を前記リターンエアホース１９に接続する吸引循環管４１の他端側を接続する吸引モータ３９と、途中部に送水ポンプ４４と、ヒータ４５を備えた温水タンク４６を設けた洗浄水ホース４７を接続し、該洗浄水ホース４７を前記洗浄水ホース２０を介して前記排泄物受けカップ１の肛門洗浄水吐出口９、１１、陰部洗浄水吐出口１０に接続する洗浄水タンク４３と、前記各機器を統括的に制御する制御盤ユニット５１とからなる介護用排泄物処理装置であって、前記排泄物受けカップ１の前板部３の内部における肛門洗浄水吐出口９と陰部洗浄水吐出口１０との間に、水平断面において前板部３の内部空間と同形状をなし、前板部３の内部空間を上下に仕切るように水平に設けると共に、底板部２の受け皿状貯留部６の上部空間を狭めるように板状突出部１５を設けてなることを特徴とする介護用排泄物処理装置。
【発明の詳細な説明】
【技術分野】
【０００１】  本発明は、要介護者の排泄物を自動的に処理する介護用排泄物処理装置に関するものである。
【背景技術】
【０００２】  一人で排尿や排便をすることができない寝たきり老人や身動きが不自由な重度の身体障害者等の要介護者は年々増え続けている。【０００３】  そして、これらの要介護者の排泄物の処理は、病院や介護施設にあっては、小便の場合には尿道に管を通して垂れ流しの状態で処理され、また大便の場合にはオムツに排便させ、介護者がそのオムツを取り替えて処理するようにしている。病院や介護施設などでは手慣れた介護者がいることから処理する上で問題はあまり生じないが、他人に下の世話をされることに恥辱感を覚える人も少なくない。【０００４】  また、病院や介護施設に入ることができない要介護者は自宅で介護することになるが、家族等の介護者の肉体的精神的な負担は実に大きなものであり、疲労が重なって時として悲惨な事件をひき起こすこともある。介護者が年齢が若く、肉体的にも充分な者であったとしても介護、特に排泄物の処理は大変であり、近時増えている老人二人だけで住んでいるような場合には、老人が老人を介護する老老介護となり、充分な介護は殆ど期待することができない。
【発明の概要】
【発明が解決しようとする課題】
【０００５】  本発明は上記の実情に鑑みなされたものであって、一人で排尿や排便をすることができない横臥中の老人や身動きが不自由な重度の身体障害者等の要介護者の排尿や排便を自動的に処理し、もって要介護者を清潔に保つと共に、要介護者の恥辱感を軽減し、また一方介護者の介護に要する肉体的精神的な負担を大幅に軽減することができるようになした介護用排泄物処理装置を提供しようとするものである。
【課題を解決するための手段】
【０００６】  而して、本発明の要旨とするところは、受け皿状貯留部６を設けた底板部２と、水平断面コ字形状で開放部が前記受け皿状貯留部６側になるようにして前記底板部２の前部から垂直に立ち上がる前板部３と、前記前板部３の上部に連設する、水平断面コ字形状でその内部空間が前板部３の内部空間に連続し、先端に形成したカップ状の部分が底部を上にして前記底板部２の受け皿状貯留部６と略平行になるように折れ曲がる蓋部４とからなると共に、要介護者の肌に接触する開口部分の縁に、要介護者の肌に気密に接触させるためのクッション材５を被着してなり、更に前記底板部２の受け皿状貯留部６に排泄物検知センサ７を設け、前記前板部３に下部から順に汚物排出口８、肛門洗浄水吐出口９、陰部洗浄水吐出口１０を設けると共に、前記受け皿状貯留部６の前記前板部３と反対側の壁部における、前記汚物排出口８及び肛門洗浄水吐出口９と対向する位置に、肛門洗浄水吐出口１１と、後記リターンエアホース１９から送られる空気を要介護者の股間部を乾燥させる空気として吹き出すためのリターンエア吹き出し口１２を設けた排泄物受けカップ１と、前記排泄物受けカップ１と後記機器収納ボックス２４内に備えた各機器とを連結する、汚物吸引ホース１８、後記吸引循環管４１から送られる空気を前記排泄物受けカップ１に設けたリターンエア吹き出し口１２に送り出すためのリターンエアホース１９、洗浄水ホース２０とからなるホースと、機器収納ボックス２４内に備えた、前記排泄物受けカップ１の汚物排出口８から前記汚物吸引ホース１８を介して空気と共に洗浄水と排尿・排便からなる汚物を吸引し、後記セパレータ２９をもって汚物と空気を分離して汚物のみを収容する汚物タンク２５と、前記汚物タンク２５の頂部に、汚物を遠心分離により汚物タンク２５内に戻すセパレータ２９を設けた吸引循環管２８をもって接続し、該吸引循環管２８内の気圧を前記汚物タンク２５内の気圧よりも低い状態として汚物タンク２５内の気圧との圧力差により汚物タンク２５からの吸引力を発生させる一方、吐出口に、途中部にミスト除去、消臭、除菌用のエア浄化フィルタ４０を備えると共に、一端側を前記リターンエアホース１９に接続する吸引循環管４１の他端側を接続する吸引モータ３９と、途中部に送水ポンプ４４と、ヒータ４５を備えた温水タンク４６を設けた洗浄水ホース４７を接続し、該洗浄水ホース４７を前記洗浄水ホース２０を介して前記排泄物受けカップ１の肛門洗浄水吐出口９、１１、陰部洗浄水吐出口１０に接続する洗浄水タンク４３と、前記各機器を統括的に制御する制御盤ユニット５１とからなる介護用排泄物処理装置であって、前記排泄物受けカップ１の前板部３の内部における肛門洗浄水吐出口９と陰部洗浄水吐出口１０との間に、水平断面において前板部３の内部空間と同形状をなし、前板部３の内部空間を上下に仕切るように水平に設けると共に、底板部２の受け皿状貯留部６の上部空間を狭めるように板状突出部１５を設けてなることを特徴とする介護用排泄物処理装置にある。
【発明の効果】
【０００７】  本発明は上記の如き構成であるから、一人で排尿や排便をすることができない横臥中の老人や身動きが不自由な重度の身体障害者等の要介護者の排尿や排便を自動的に処理し、もって要介護者を清潔に保つと共に、要介護者の恥辱感を軽減し、また一方介護者の介護に要する肉体的精神的な負担を大幅に軽減することができるようになるものである。【０００８】  且つまた、排泄物受けカップ１の前板部３の内部における肛門洗浄水吐出口９と陰部洗浄水吐出口１０との間に、水平断面において前板部３の内部空間と同形状をなし、前板部３の内部空間を上下に仕切るように水平に設けると共に、底板部２の受け皿状貯留部６の上部空間を狭めるように板状突出部１５を設けてなるものであるから、排泄物受けカップ１を装着した要介護者の臀部及び股間部と該板状突出部１５とによって底板部２の受け皿状貯留部６の上部空間を狭めることになり、即ち、受け皿状貯留部６への外部からの空気の流入を減少させ、汚物排出口８から汚物タンク２５へ汚物を吸引したときにおいて該受け皿状貯留部６内の負圧を高め、吸引力を一段と高めることができるものである。これは特に排便が硬いときや大量に排泄されたときに有効である。
【図面の簡単な説明】
【０００９】
【図１】本発明の実施形態に係る介護用排泄物処理装置の概略的説明図である。
【図２】同側面板を省略して示した機器収納ボックスの左側面図である。
【図３】同側面板を省略して示した機器収納ボックスの右側面図である。
【図４】同機器収納ボックスの上蓋を開いた状態の背面側から看た斜視図である。
【図５】同汚物タンクをセットした状態における機器収納ボックスの上蓋を開いた状態の背面側から看た斜視図である。
【図６】同機器収納ボックスの上蓋を開いた状態の前面側から看た斜視図である。
【図７】同汚物タンクの斜視図である。
【図８】同機器収納ボックスのホース接続部分の拡大斜視図である。
【図９】同汚物吸引ホースの汚物タンクへの接続側端部の拡大斜視図である。
【図１０】同機器収納ボックスのリターンエアホースと洗浄水ホース並びに排泄物検知センサのリード線接続用コネクタ部分の拡大斜視図である。
【図１１】同リターンエアホースと洗浄水ホース並びに排泄物検知センサのリード線接続用コネクタ部分の拡大斜視図である。
【図１２】同セパレータの分解斜視図である。
【図１３】同セパレータの包囲体を外した状態の正面図である。
【図１４】同一部切欠して示した排泄物受けカップの斜視図である。
【図１５】同排泄物受けカップの左側面図である。
【図１６】同排泄物受けカップにおける底板部の下面側の斜視図である。
【図１７】同空気の循環の概略的説明図である。
【図１８】同機器収納ボックス内における空気と洗浄水の流路の概略的説明図である。
【発明を実施するための形態】
【００１０】  以下、本発明を実施するための形態について、図面を参照して説明する。
【００１１】  図中、１は排泄物受けカップであり、受け皿状貯留部６を設けた底板部２と、水平断面コ字形状で開放部が前記受け皿状貯留部６側になるようにして前記底板部２の前部から垂直に立ち上がる前板部３と、前記前板部３の上部に連設する、水平断面コ字形状でその内部空間が前板部３の内部空間に連続し、先端に形成したカップ状の部分が底部を上にして前記底板部２の受け皿状貯留部６と略平行になるように折れ曲がる蓋部４とからなると共に、要介護者の肌に接触する開口部分の縁に、要介護者の肌に気密に接触させるためのクッション材５を被着してなるものである。
【００１２】  また、前記底板部２における排尿や排便を受ける受け皿状貯留部６には、排尿や排便の有無を検知する排泄物検知センサ７が設けられている。
【００１３】    また、前記排泄物検知センサ７は、２本の金属線状の電極７Ａ、７Ｂを有し、該２本の電極７Ａ、７Ｂの間で発生する抵抗値の変化を検出して受け皿状貯留部６内の排尿・排便を検知する静電容量センサが用いられており、そして、図１４に示す如く、該静電容量センサ７の電極７Ａ、７Ｂを、受け皿状貯留部６の底部から側面及び上端近傍にかけて配設している。また一方、受け皿状貯留部６の上端縁部には、排泄物受けカップ１を装着した状態において要介護者が仰向けの状態から身体を左右方向に傾けたときにおいて、排尿・排便が受け皿状貯留部６から零れにくくするための内側に向かう張り出し部６Ａ（図示せず。）を設けている。尚、本実施形態においては、前記クッション材５の内側への出っ張り部分５Ａを該張り出し部６Ａと兼ねさせている。
【００１４】    また、前記排泄物受けカップ１は、その前板部３に、下部から順に汚物排出口８、肛門洗浄水吐出口９、陰部洗浄水吐出口１０を設けると共に、前記受け皿状貯留部６の前記前板部３と反対側の壁部における、前記汚物排出口８及び肛門洗浄水吐出口９と対向する位置に、肛門洗浄水吐出口１１と、後記リターンエアホース１９から送られる空気を要介護者の股間部を乾燥させる空気として吹き出すためのリターンエア吹き出し口１２と、受け皿状貯留部の洗浄水吐出口１３を設けている。尚、排泄物受けカップ１の前板部３には、その背面側に前記汚物排出口８、肛門洗浄水吐出口９、陰部洗浄水吐出口１０、並びに肛門洗浄水吐出口１１、リターンエア吹き出し口１２、受け皿状貯留部の洗浄水吐出口１３の夫々に連絡する連結部１４が設けられており、１４ａは汚物排出口８用の連結部、１４ｂは各洗浄水吐出口用の連結部、１４ｃはリターンエア吹き出し口１２用の連結部、１４ｄは排泄物検知センサ７用の連結部であり、夫々は後記対応するホース等に接続される。
【００１５】  また、排泄物受けカップ１の前板部３の内部における肛門洗浄水吐出口９と陰部洗浄水吐出口１０との間に、水平断面において前板部３の内部空間と同形状をなし、前板部３の内部空間を上下に仕切るように水平に設けると共に、底板部２の受け皿状貯留部６の上部空間を狭めるように板状突出部１５を設けている。これにより、排泄物受けカップ１を装着した要介護者の臀部及び股間部と該板状突出部１５とによって底板部２の受け皿状貯留部６の上部空間を狭めることになり、即ち、受け皿状貯留部６への外部からの空気の流入を減少させ、汚物排出口８から汚物タンク２５へ汚物を吸引したときにおいて該受け皿状貯留部６内の負圧を高め、吸引力を一段と高めることができるものである。これは特に排便が硬いときや大量に排泄されたときに有効である。尚、該板状突出部１５は、水平断面において前板部３の内部空間と同形状をなしており、その前端部に切り欠きは存在しないが、図１４は斜視図であり、該板状突出部１５を実際の形状通りに記載すると、これの下側に位置する肛門洗浄水吐出口９が陰に隠れて見えなくなり、これを表示することができなくなることから、図１４においては説明の便宜上、該板状突出部１５の前端側の一部を切欠して示している。
【００１６】  また、前記排泄物受けカップ１には、底板部２と蓋部４に人体固定用のベルトをかけるための通し孔１７、１７が形成されている。
【００１７】  １８は汚物吸引ホースであり、前記排泄物受けカップ１の汚物排出口８の連結部１４ａに一端側を接続し、他端側を後記汚物タンクの吸入口に接続するものである。１９は後記吸引循環管４１から送られる空気を前記排泄物受けカップ１に設けたリターンエア吹き出し口１２に送り出すためのリターンエアホースであり、前記排泄物受けカップ１のリターンエア吹き出し口用の連結部１４ｃに一端側を接続し、他端側を後記吸引モータ３９の吐出口に接続した吸引循環管４１に接続するものである。２０は洗浄水ホースであり、前記排泄物受けカップ１の各洗浄水吐出口用の連結部１４ｂに一端側を接続し、他端側を後記洗浄水タンク４３に接続した洗浄水ホース４７に接続するものである。２１は前記排泄物検知センサ７のリード線であり、前記排泄物受けカップ１の排泄物検知センサ用の連結部１４ｄに一端側を接続し、他端側を後記制御盤ユニット５１に接続するものである。尚、前記リターンエアホース１９、洗浄水ホース２０、排泄物検知センサのリード線２１は、コネクタ２２、２３を介して接続するものである。
【００１８】  ２４は機器収納ボックスであり、本体部２４ａと蓋部２４ｂとからなる。また、本体部２４ａの底部下面にはキャスタ２４Ａ、２４Ａを取り付けている。
【００１９】  ２５は前記機器収納ボックス２４内に備えた汚物タンクであり、前記排泄物受けカップ１の汚物排出口８から前記汚物吸引ホース１８を介して空気と共に洗浄水と排尿・排便からなる汚物を吸引し、後記セパレータをもって汚物と空気を分離して汚物のみを収容するものである。また、該汚物タンク２５は、上端近傍の前部に吸入口２５ａを突出させて形成し、該突出した吸入口２５ａに前記汚物吸引ホース１８の端部の筒状連結部１８ａを外嵌して接続している。また、該汚物タンク２５は頂部を開口２５ｂすると共に、提げ手２６を設けている。また、本実施形態においては、内部の前記吸入口２５ａと後記セパレータとの間に垂直な壁板２５ｃを設けている。そしてまた、該汚物タンク２５は、前記機器収納ボックス２４の本体部２４ａにおける背部側に形成した汚物タンク受容凹部２４Ｂ内に収納されており、また、該汚物タンク受容凹部２４Ｂの側壁部には水位検知センサ２７が取り付けられている。該水位検知センサ２７により汚物タンク２５内の汚物の量を検知し、溢れ出しを防止するものである。
【００２０】  ２８は前記汚物タンク２５と後記吸引モータ３９との間に設け、これらを結ぶ吸引循環管であり、前記汚物タンク２５の頂部の開口２５ｂに一端側が臨み、該端部にセパレータ２９を設けている。
【００２１】  また、該セパレータ２９は、汚物と空気を分離させるものであり、汚物を遠心分離により汚物タンク２５内に戻すものである。また、該セパレータ２９は、本実施形態においては、前記吸引循環管２８に連結され、後壁部に該吸引循環管２８に連通する小径の通気開口３０を設けた円盤状の中空ケース３１と、該ケース３１内に設けた固定軸３２に空気の流れと直交して回転自在に支承され、円板状部分３３に複数の開口３４（本実施形態では４つ）が設けられると共に、該円板状部分３３の周縁部に、円周方向に沿って延び且つ前記固定軸３２の方向に傾斜した複数の傾斜面部３５（本実施形態では４つ）を設け、吸引される空気の流れによって回転する回転体３６と、前記固定軸３２における前記回転体３６より空気の流れの上流側に、頭部側を空気の流入側にして固定された、截頭円錐形のカップ状をなし、その斜面に円周方向と直交する方向のスリット３７を円周方向に等間隔に多数列設した包囲体３８とをもって構成されている。尚、前記傾斜面部３５の夫々は、図１３に示す如く、一方側の端部３５ａから他方側の端部３５ｂに向けて、円周方向に沿って紙面において奥側から手前側に深さ方向に傾斜している。したがって、吸引循環管２８による吸引力によって傾斜面部３５が風車の原理による回転力を回転体３６に与える。
【００２２】  そしてまた、前記傾斜面部３５は、回転体３６が固定軸３２を中心として回転しているときに、包囲体３８内の空間において、包囲体３８内にある汚物と空気を固定軸３２を中心として回転させる風力を発生させる。そしてこれにより、包囲体３８内にある汚物は遠心力によって該包囲体３８の外周面側に押し出され、そのスリット３７から汚物タンク２５に噴出せしめられる。したがって、質量の小さい空気のみが回転体３６の開口部３４及び通気開口３０を通って吸引循環管２８に吸い込まれるものである。
【００２３】  ３９は前記機器収納ボックス２４内に備えた吸引モータであり、前記汚物タンク２５の頂部に、前記吸引循環管２８を介して接続し、該吸引循環管２８内の気圧を前記汚物タンク２５内の気圧よりも低い状態として汚物タンク２５内の気圧との圧力差により汚物タンク２５からの吸引力を発生させるものである。
【００２４】  また、該吸引モータ３９の吐出口には、途中部にミスト除去、消臭、除菌用のエア浄化フィルタ４０を備えた吸引循環管４１の一端側を接続し、該吸引循環管４１の他端側は、前記リターンエアホース１９に接続している。尚、前記吸引循環管４１は、途中部に分岐管４２が設けられ、流れる空気の量の一部（約１０％）を外部に排出する。
【００２５】  ４３は前記機器収納ボックス２４内に備えた洗浄水タンクであり、途中部に２つの送水ポンプ４４、４４と、ヒータ４５を備えた温水タンク４６を設けた洗浄水ホース４７を接続している。また、補助タンク４３Ａを備え、該洗浄水タンク４３内の洗浄水の収容量不足が検知センサ（図示せず。）等によって検知されたときには、洗浄水を補充するようになしている。尚、前記温水タンク４６には、前記ヒータ４５の他に温度センサ（図示せず。）と水位検知センサ（図示せず。）を備えている。また、前記２つの送水ポンプ４４、４４は、その内の１つは前記洗浄水タンク４３と温水タンク４６の間に、またもう１つは温水タンク４６と前記洗浄ホース２０の間に設けている。
【００２６】  ４８は前記機器収納ボックス２４内に備えた殺菌・消臭剤タンクであり、前記洗浄水ホース４７に接続し、洗浄水に殺菌剤と消臭剤を注入混合するものである。尚、殺菌剤と消臭剤の注入混合するタイミングは適宜に設定される。４９は前記洗浄水ホース４７に設けた電磁弁、５０は前記排泄物検知センサ７のリード線２１に一端側を接続し、他端側を後記制御盤ユニットに接続したリード線である。
【００２７】  ５１は前記機器収納ボックス２４内に備えた制御盤ユニットであり、前記各機器を統括的に制御するものである。また、該制御盤ユニット５１は、図示しない中央制御装置により各センサからの信号を受信し、駆動装置を介して吸引モータ３９や送水ポンプ４４その他の機器を馭動させるものである。５２は前記機器収納ボックス２４の正面に設けた操作パネルである。
【００２７】  次に、上記実施形態の作用について説明する。
先ず、要介護者の股間部に排泄物受けカップ１を装着し、操作パネル５２によって制御盤ユニット５１の電源をオンにする。そして、排泄物受けカップ１の排泄物検知センサ７によって排泄物が検知されると、一定時間経過後、送水ポンプ４４が作動して温水タンク４６内の適度に加温された洗浄水が洗浄水ホース２０を介して排泄物受けカップ１に送り込まれる。
【００２８】  これにより排泄物受けカップ１の陰部洗浄水吐出口１０から洗浄水を陰部に噴射して洗浄し、肛門洗浄水吐出口９、１１から肛門に洗浄水を噴射して洗浄し、受け皿状貯留部の洗浄水吐出口１３から受け皿状貯留部６に洗浄水を噴射して洗浄し、洗浄後の汚水と排泄物は汚物排出口８へ導かれる。
【００２９】  同時に吸引モータ３９が作動し、吸引循環管２８から空気を吸引すると、排泄物受けカップ１の汚物排出口８から汚物吸引ホース１８を介して洗浄後の汚水と排泄物が汚物タンク２５に吸引される。汚物タンク２５の内部から吸引循環管２８を介して空気を吸引すると、セパレータ２９によって汚物と空気に分離され、汚物のみが汚物タンク２５内に収容される。
【００３０】  汚物タンク２５内の汚物の量は水位検知センサ２７により検知され、限界線に達すると、その信号は制御盤ユニット５１に送られる。
【００３１】  汚物タンク２５から吸引された空気はエア浄化フィルタ４０により浄化される。尚、このエア浄化フィルタ４０は、前記の通りミスト除去、消臭、除菌用のフィルタである。また、該浄化された空気は吸引モータ３９の作動時の発熱により加温される。尚、図示はしないが、空気の温度が高過ぎる場合に備えて、これを適度の温度に下げるための冷却器等の適宜の手段を設けるようになしてもよい。そして、該浄化され、加温された空気は、吸引循環管４１からリターンエアホース１９を介して排泄物受けカップ１に送られる。尚、この際においてリターンエアホース１９から送られる空気量は約９０％であり、１０％は吸引循環管４１の分岐管４２から外部に排出される。また、この一部排出される空気は、殺菌してから排出することが望ましい。
【００３２】  排泄物受けカップ１に送られた加温された空気は、リターンエア吹き出し口１２から吹き出され、要介護者の股間部を乾燥させる。
【００３３】  本実施形態は上記の通りの構成、作用であるから、一人で排尿や排便をすることができない横臥中の老人や身動きが不自由な重度の身体障害者等の要介護者の排尿や排便を自動的に処理し、もって要介護者を清潔に保つと共に、要介護者の恥辱感を軽減し、また一方介護者の介護に要する肉体的精神的な負担を大幅に軽減することができるようになるものである。
【００３４】  且つまた、排泄物受けカップ１の前板部３の内部における肛門洗浄水吐出口９と陰部洗浄水吐出口１０との間に、水平断面において前板部３の内部空間と同形状をなし、前板部３の内部空間を上下に仕切るように水平に設けると共に、底板部２の受け皿状貯留部６の上部空間を狭めるように板状突出部１５を設けてなるものであるから、排泄物受けカップ１を装着した要介護者の臀部及び股間部と該板状突出部１５とによって底板部２の受け皿状貯留部６の上部空間を狭めることになり、即ち、受け皿状貯留部６への外部からの空気の流入を減少させ、汚物排出口８から汚物タンク２５へ汚物を吸引したときにおいて該受け皿状貯留部６内の負圧を高め、吸引力を一段と高めることができるものである。これは特に排便が硬いときや大量に排泄されたときに有効である。
【符号の説明】
【００３５】  １  排泄物受けカップ
６  受け皿状貯留部
７  排泄物検知センサ
８  汚物排出口
９  肛門洗浄水吐出口
１０  陰部洗浄水吐出口
１１  肛門洗浄水吐出口
１２  リターンエア吹き出し口
１５  板状突出部
１８  汚物吸引ホース
１９  リターンエアホース
２０  洗浄水ホース
２１  排泄物検知センサのリード線
２４  機器収納ボックス
２５  汚物タンク
２５ｃ  垂直な壁板
２７  水位検知センサ
２８  吸引循環管
２９  セパレータ
３９  吸引モータ
４０  エア浄化フィルタ
４１  吸引循環管
４２  分岐管
４３  洗浄水タンク
４４、４４  送水ポンプ
４６  温水タンク
４７  洗浄水ホース
４８  殺菌・消臭剤タンク
５１  制御盤ユニット
５２  操作パネル
【図１】
0006028772.tif 000002
【図２】
0006028772.tif 000003
【図３】
0006028772.tif 000004
【図４】
0006028772.tif 000005
【図５】
0006028772.tif 000006
【図６】
0006028772.tif 000007
【図７】
0006028772.tif 000008
【図８】
0006028772.tif 000009
【図９】
0006028772.tif 000010
【図１０】
0006028772.tif 000011
【図１１】
0006028772.tif 000012
【図１２】
0006028772.tif 000013
【図１３】
0006028772.tif 000014
【図１４】
0006028772.tif 000015
【図１５】
0006028772.tif 000016
【図１６】
0006028772.tif 000017
【図１７】
0006028772.tif 000018
【図１８】
0006028772.tif 000019